Podtech/llm-jp-corpus-v4-ja_patent huggingface dataset:
(57)【特許請求の範囲】
【請求項１】
レジ袋・ポリ袋の開口又は書類・紙幣の捲り作業の際に指先を潤すための器具であって、  貯水タンク及び前記貯水タンクに着脱自在に着設された給水キャップを具備する給水部と、  前記給水部を支持する本体部と、を有し、  前記給水キャップの底部には給水孔が形成された薄厚の金属板が着設され、  前記給水キャップの底部近傍には通気孔が形成され、  前記給水孔に指先を接触させることにより前記貯水タンク内の水が前記給水孔を通過し前記指先を潤すことを特徴とする器具。 
【発明の詳細な説明】
【技術分野】
【０００１】
本発明はポリ袋を開口したり、書類・紙幣を捲るなどの作業を行い易くするために、指先を潤す器具に関する。
【背景技術】
【０００２】
スーパーマーケット等において購入物を入れるポリオレフィン製のポリ袋（通称「レジ袋」）や、濡れ物を区別して入れる極薄のポリ袋は、乾いた手では開きにくいため、多くの店では、濡れ雑巾又は水分を含ませた海綿を置いて、客に使用させている。しかしながら、不特定多数の消費者が指をつける濡れ雑巾や海綿は抵抗を感じる消費者が多く、店の側も乾燥防止や衛生面において、こまめな管理が必要となる。
【０００３】
また、事務所等において書類を捲ったり紙幣を数えたりする際には、水で湿らせた事務用の海綿に指をつけたり、ゴム製のサックを指にはめるなどすることが多く、迂遠である。
【０００４】
上述の問題を踏まえ、出願人は下記特許文献において、上記レジ袋等を開口するに必要な水分だけを指先に供給し、濡れ雑巾等を使用せず、容易に指を潤すことができる器具を提案した。
【先行技術文献】
【特許文献】
【０００５】
【特許文献１】実用新案登録第３１９９６１６号
【発明の概要】
【発明が解決しようとする課題】
【０００６】
出願人が提案した上記「指先を潤す器具」は、図３に示すように、貯水タンク１１及び該貯水タンクに着脱自在に着設された給水キャップ１２を具備する給水部１と、給水部１を支持する本体部２とを有し、給水キャップ１２の底部に直径３ｍｍの給水孔１３１を有する小キャップ１３が着脱自在に着設されている構成になっており、給水孔１３１に指先を接触させることにより貯水タンク１１内の水が給水孔１３１を通過し指先を潤すという構造のものであった。
【０００７】
しかしながら、前記給水孔の構造では、ポリ袋等の開口や書類・紙幣等の捲り作業時に指先を潤す水量としては、やや多すぎて使用感が悪いものとなっていた。一方、水量を減らすために前記給水孔の直径を小さくすると、指先で給水孔に触れても、指先表面が水に触れないことがあり、この場合は毛細管現象の原理が働かず、水が全く出ないといった不具合が生じていた。
【０００８】
上述の問題に鑑み、本発明に係る指先を潤す器具においては、特許文献１で提案した前記器具の給水孔及びその近傍の構造と素材を変えることにより、タンク内の水量に関わらず、ポリ袋等の開口や書類・紙幣等の捲り作業時に指先を潤すのに適量の水量を確実に供給することができる器具を提供することを課題とする。
【課題を解決するための手段】
【０００９】  上述の課題を解決するために、本考案に係る器具は、貯水タンク及び前記貯水タンクに着脱自在に着設された給水キャップを具備する給水部と、前記給水部を支持する本体部を有し、前記給水キャップの底部には、給水孔が形成された薄厚の金属板が着設され、前記給水キャップの底部近傍には通気孔が形成され、前記給水孔に指先を接触させることにより前記貯水タンク内の水が前記給水孔を通過し前記指先を潤すことを特徴とする。 【００１０】
前記先行技術文献の器具との差異点、すなわち本願発明の特定技術は、（１）前記器具において採用した金属製の小キャップの給水孔からの給水を廃し、給水キャップの下端に着設された極薄の金属板に設けた給水孔からの給水としたこと、（２）給水キャップの底部近傍に通気孔を形成したこと、の２点である。この構成により、給水孔部分を薄くできたため、水が出過ぎないよう給水孔の直径を小さくしても、指先が確実に水に触れることができるようになった。また、通気孔から空気が入ることによりタンク内が負圧になることを回避することができ、給水機能が安定した。
【発明の効果】
【００１１】
本発明により、タンク内の水量に関わらず、指先で給水孔に触れることにより、ポリ袋等の開口や書類・紙幣等の捲り作業に必要十分な量の水を確実に得ることができるようになった。
【図面の簡単な説明】
【００１２】
【図１】本実施形態に係る器具の斜視図である。
【図２】本実施形態に係る器具の部品構成を示す斜視図である。
【図３】先行技術文献（実用新案登録第３１９９６１６号）に係る器具の縦断面図である。
【図４】本実施形態の器具の給水キャップの、（Ａ）縦断面図、（Ｂ）底面図、（Ｃ）金属板（抗菌ステンレス板）の部分拡大図、である。
【発明を実施するための形態】
【００１３】
本実施形態の指先を潤す器具について、先行技術文献（実用新案登録第３１９９６１６号、以下単に「前考案」という）との違いについて、図を用いて説明する。
【００１４】
図１及び図２に示すように、本実施形態の器具は前考案の器具と同様、給水部１及び本体部２を基本部品とする。このうち、本体部２の構成は前考案と変わらない。一方、給水部１の構成は、前考案では図３に示すようなものであった。すなわち、給水キャップ１２には、金属製の小キャップ１３が着脱自在に着設されており、小キャップ１３の底部に直径３ｍｍの給水孔１３１が配設されていた。この構成では、タンク内の水量により給水量が多くなり過ぎる場合があり、給水孔の直径を小さくする必要があったが、逆に給水孔が小さすぎる場合には、給水孔部分の金属の厚さとタンク内の圧力により、指先表面が水に触れることができず、給水自体が不可能になることがあった。
【００１５】
これに対し、本発明においては小キャップ１３を廃し、図４に示すように、給水キャップ１２の底部に抗菌ステンレス板５を着設した。ステンレス板５の中心には直径１ｍｍの給水孔５１が形成されている。ステンレス板５の厚さは０．１ｍｍとなっていて、指先が容易に水に触れることができる構成となっている。
【００１６】
また、ステンレス板５を樹脂にインサートする工法の関係で、抗菌ステンレス板５の着接部に至る導水壁１２１に３０度程度の勾配を設け、該導水壁に、鉛直方向に貫通する直径１ｍｍの通気孔１２３を設置した。この構成により、給水のたびに通気孔１２３から空気が貯水タンク内に入り、給水孔５１の直径を小さくしても、タンク内の圧力が負圧となって水が出なくなるのを回避することができた。
【符号の説明】
【００１７】
１      給水部
１１    貯水タンク
１２    給水キャップ
１２１  導水壁（抗菌樹脂）
１２３  通気孔
２      本体部
２１    タンク受入溝
２２    錘挿入口
２３    トレイ載置部
３      錘
４      トレイ
５      抗菌ステンレス板
５１    給水孔
（図３）
１３    小キャップ
１３１  給水孔
１４    パッキン
【図１】
0006709911.tif 000002
【図２】
0006709911.tif 000003
【図３】
0006709911.tif 000004
【図４】
0006709911.tif 000005
(57)【特許請求の範囲】
【請求項１】
複数の弦が配列された弦楽器において、前記複数の弦のうち少なくとも一部の弦は発生可能な音が順次低音から高音になるように配列されており、更に前記一部の弦のうち、互いに隣接する一対の弦である、第１の音の弦と、第２の音の弦の配置を、音程を維持するように調弦しつつ入れ換えた弦楽器。
【発明の詳細な説明】
【技術分野】
【０００１】本発明は弦楽器に関するものである。
【背景技術】
【０００２】これまでの弦楽器は、例えば、特許文献に示されているように、５本の弦がＣ，Ｇ，Ｄ，Ａ，Ｅ（最も低音より最も高音に向かって）５度にチューニングされている。
【先行技術文献】
【特許文献】
【０００３】
【特許文献１】特表２００３−５０４６７２号公報
【発明の概要】
【発明が解決しようとする課題】
【０００４】しかしながら、特許文献１の弦楽器は右利き用の為、左利き用の弦楽器に慣れている奏者が演奏するのが困難であった。一方で左利き用の弦楽器は右利き用に比べ種類等が限られていた。
このため、左利きの奏者は演奏の幅が狭くなり、そのことで演奏の機会がより少なかった。
【課題を解決するための手段】
【０００５】  本発明は、右利き用弦楽器を用いて、左利き用として演奏者が演奏可能な弦楽器を提供することを目的とする。
【発明の効果】
【０００６】本発明によれば、右利き用弦楽器を用いて、左利き用として演奏者が演奏可能な弦楽器を提供することができる。
【図面の簡単な説明】
【０００７】
【図１】本発名の実施形態の弦楽器を説明する図である。
【図２】本発明の実施形態の６弦の弦楽器における弦を説明する図である。
【図３】本発明の実施形態の４弦の弦楽器における弦を説明する図である。
【発明を実施するための形態】
本発明の実施形態に係る弦楽器１は、ボディ１０と、ボディ１０から延びるネック２０と、ネック２０の先端例に設けられたペグ３０と、ペグ３０により調弦される弦４０とを備える。
【０００８】複数の弦４０が配列された弦楽器であり、複数の弦のうち少なくとも一部は、発生可能な音が、順次低音から高音になるように配列されており、更に一部の弦のうち、互いに隣接する一対の特定の弦の配置が入れ換えられている弦楽器１。
【０００９】括弧内は６弦４６から１弦４１までのそれぞれの音程。
米国ＡＳＡ（Ａｃｏｕｓｔｉｃａｌ  Ｓｏｃｉｅｔｙ  ｏｆ  Ａｍｅｒｉｃａ）が標準として提唱している４４０Ｈｚ＝Ａ４を基に記載する。
【００１０】６弦ギターへの適用例：
１．ギターの３弦（Ｇ３）と４弦（Ｄ３）を張り替える。
２．ギター２弦（Ｂ３）を全音低く調弦する。
３．ギターの５弦（Ａ２）を全音高く調弦する。
４．本発明によるギターの調弦の音程は右の通りである。（Ｅ２  Ｂ２  Ｇ３  Ｄ３  Ａ３  Ｅ４）
【００１１】４弦ベースへの適用例：
１．ベースの２弦（Ｄ２）と３弦（Ａ１）を張り替える。
２．ベースの４弦（Ｅ０）を全音半高く調弦する。
３．本発明によるベースの調弦の音程は右の通りである。（Ｇ０  Ｄ２  Ａ１  Ｅ２）
【００１２】ヴァイオリンへの適用例：
１．ヴァイオリンの２弦（Ａ４）と３弦（Ｄ４）を張り替える。
２．ヴァイオリンの１弦（Ｅ５）を長６度音低く調弦する。
３．ヴァイオリンの４弦（Ｇ３）を長６度音高く調弦する。
４．本発明によるヴァイオリンの調弦の音程は右の通りである。（Ｅ４  Ａ４  Ｄ４  Ｇ４）
【００１３】ウクレレへの適用例：
注：ウクレレは４弦の音程を３弦の音程より高く張る（Ｇ４）、ハイＧチューニングが一般的だが、ここでは説明を明快にする為に３弦の音程より低く張る（Ｇ３）ローＧチューニングを用いて説明する。この方法で調弦した後に改めてハイＧチューニングに当てはめてみてもいい。
１．ウクレレの２弦（Ｅ４）と３弦（Ｃ４）を張り替える。
２．ウクレレの１弦（Ａ４）を全音低く調弦する。
３．ウクレレの４弦（Ｇ３）を全音高く調弦する。
４．本発明によるウクレレの調弦の音程は右の通りである。（Ａ３  Ｅ４  Ｃ４  Ｇ４）
【００１４】人間が左右対称であるように、弦楽器も左右対称である。瓜型の弦楽器は左右どちらでも構えることができる。
音階と調性も時計のような正円で一周が完結しているので、左右対称である。この性質を利用して、本発明により、左利き用の弦楽器に慣れている奏者が右利き用楽器を左利きの構えで自然に演奏できる。
【００１５】１．本実施形態によれば、右利き用を用いて左利き用の弦楽器に慣れている奏者が演奏することができる。
演奏の機会が増える。
２．弦を押弦しなかった場合の和音等の響きから表れる楽器の新しい特徴、個性を際立たせることができる。
３．本実施形態に関わる弦楽器１は、既存の弦楽器とその弦で実現できるので新たな素材からの製造などを必要としない。
【符号の説明】
【００１６】１    弦楽器
１０  ボディ
２０  ネック
３０  ペグ
４０  指版
４１  １弦
４２  ２弦
４３  ３弦
４４  ４弦
４５  ５弦
４６  ６弦
【図１】
0006709929.tif 000002
【図２】
0006709929.tif 000003
【図３】
0006709929.tif 000004
(57)【特許請求の範囲】
【請求項１】
後身頃の左右に前身頃を配置してなる巻きスカートであって、どちらか一方の前身頃の裾と後身頃の裾にマグネットを設けた、自転車用マグネット付スカート
【発明の詳細な説明】
【技術分野】
【０００１】
自転車に乗っている際のスカートのめくれを防止するための巻きスカートである。
【背景技術】
【０００２】
まくれを防止するために、まくれ防止クリップなど、自転車自体につけるものが考案されていた。
【０００３】
しかし、クリップなどでは、自転車の見た目が悪くなったり、装着する際に手間がかかった。
【先行技術文献】
【特許文献】
【０００４】
【特許文献１】特開２０００−７３２０７（Ｐ２０００−７３２０７Ａ）
【発明の概要】
【発明が解決しようとする課題】
【０００５】
（イ）スカートで自転車に乗ると、風でスカートがめくれることが煩わしく、乗車が困難であった。
（ロ）簡単に着脱でき、持ち運べて、確実にめくれを防止できるものがなかった。
【課題を解決するための手段】
【０００６】
巻きスカートの前身頃と、後ろ身頃の裾にマグネットを設け、スカートの前後を磁力で留められるようにすることでめくれを防ぐ。
【発明の効果】
【０００７】
スカートの前後が磁力で留まっているため、スカートがまくれない。また、巻きスカートなので着脱が簡単で、中に着ているスカートに関係なく、持ち運んで必要な際に使用することができる。
【図面の簡単な説明】
【０００８】
【図１】図１は本発明の着用時図である。
【図２】図２は本発明の展開図である。
【発明を実施するための形態】
【０００９】
巻きスカートの前身頃の裾に、マグネットを設ける。
巻きスカートの後ろ身頃の裾に、マグネットを設ける。
前と後ろに設けたマグネットの磁力で、スカートの裾を留められるようにする。
【符号の説明】
【００１０】
１    巻きスカート
２    マグネット
【要約】
【課題】スカートで自転車に乗る際にまくれを防止するため、スカートの前後をマグネットで簡単に留めることができる巻きスカートを提供する。
【解決手段】巻きスカートの前身頃と後ろ身頃の裾にマグネットを設け、その磁力でスカートの前後を留められることができるようにする。このスカートは、着脱が簡単で、着ているスカートの上から巻けるようにする。
【選択図】図１【図１】
0006732315.tif 000002
【図２】
0006732315.tif 000003
(57)【特許請求の範囲】
【請求項１】
軌道工事機械であって、
レール走行装置（２）により軌道上を走行可能な機械フレーム（４）と、
いくつかの駆動部（５）と接続されたエネルギ供給系（６）であって、内燃機関（７）と、少なくとも１つの液圧ポンプ（８）を有する液圧駆動系（９）とから構成される、エネルギ供給系（６）と、
を備える軌道工事機械において、以下の特徴：
ａ）前記内燃機関（７）は、駆動軸（１７）を介して、電気的なジェネレータ／モータユニット（１０）と機械的に接続されている、
ｂ）前記ジェネレータ／モータユニット（１０）は、機械的な駆動装置（１９）を介して、前記液圧ポンプ（８）と接続されている、
ｃ）蓄電池（２０）が、電気的な供給線路（２１）を介して、前記ジェネレータ／モータユニット（１０）および駆動部（５）と接続されている、
ｄ）前記駆動部（５）は液圧的な駆動部であり、前記液圧ポンプ（８）によりエネルギが供給される
を有することを特徴とする、軌道工事機械。
【請求項２】
前記レール走行装置（２）には、前記蓄電池（２０）と接続されたジェネレータ／モータユニット（１０）が走行駆動部として対応付けられている、請求項１記載の軌道工事機械。
【発明の詳細な説明】
【技術分野】
【０００１】
本発明は、軌道工事機械であって、レール走行装置により軌道上を走行可能な機械フレームと、いくつかの駆動部と接続されたエネルギ供給系であって、内燃機関と、少なくとも１つの液圧ポンプを有する液圧駆動系とから構成される、エネルギ供給系と、を備える軌道工事機械に関する。
【背景技術】
【０００２】
軌道工事機械の内燃機関は、多くの場合、作業運転を長時間中断する間でも全出力で作動している。これは、高い燃料消費量および保守コストの増加をもたらしてしまう。
【発明の概要】
【発明が解決しようとする課題】
【０００３】
そこで、本発明の課題は、冒頭で述べた態様の軌道工事機械において、機械運転に必要なエネルギ収支の改善が可能であるものを提供することにある。
【課題を解決するための手段】
【０００４】
この課題は、本発明によれば、冒頭で述べた態様の軌道工事機械において、以下の特徴により解決される。
ａ）内燃機関は、駆動軸を介して、機械的に電気的なジェネレータ／モータユニットと接続されている、
ｂ）ジェネレータ／モータユニットは、駆動装置を介して、液圧ポンプと接続されている、
ｃ）蓄電池が、電気的な供給線路を介して、ジェネレータ／モータユニットおよび給電可能な駆動部と接続されている。
【０００５】
これらの特徴の組み合わせにより、軌道工事機械に基づく種々の駆動部に主に電気的な供給を行うことができる。液圧的な駆動部が必要である場合には、必要な液圧ポンプを、蓄電池から供給されるジェネレータ／モータユニットを介して駆動することができる。これにより、背景技術においてすでに挙げられた欠点を回避するとともに、より低い性能の内燃機関でも間に合わせることができる。
【０００６】
本発明のその他の利点は、従属請求項および図面に関する記述から明らかである。
【０００７】
以下、図示された実施の態様に基づいて本発明を詳説する。
【図面の簡単な説明】
【０００８】
【図１】軌道の突き固めを行うように構成された軌道工事機械の側面図である。
【図２】レール走行装置、駆動ユニットおよびエネルギ供給系の平面図である。
【発明を実施するための形態】
【０００９】
軌道工事機械１は、レール走行装置２により軌道３上を走行可能な機械フレーム４と、いくつかの種々の駆動部５と接続されたエネルギ供給系６とを備える。エネルギ供給系６は、内燃機関７と、複数の液圧ポンプ８を有する液圧駆動系９と、２つのジェネレータ／モータユニット１０とから構成されている。
【００１０】
複数の駆動部５を備えるタンピングユニット１３、および液圧式の駆動部５により位置調整可能な軌道持上げユニット１４が、軌道位置修正のために設けられている。空気圧縮機１５や空調装置１６のための種々の別の電気的な駆動部５が、ここでは単に例示的に挙げられている。
【００１１】
内燃機関７は、駆動軸１７により、ここでは分配伝動装置１８として構成された駆動装置１９を介して、機械的に２つの電気的なジェネレータ／モータユニット１０と接続されている。
【００１２】
各々のジェネレータ／モータユニット１０は、駆動装置１９を介して、液圧ポンプ８と接続されている。
【００１３】
蓄電池２０が、電気的な供給線路２１を介して、ジェネレータ／モータユニット１０と、電力変換器１２と、給電可能な駆動部５とに接続されている。レール走行装置２には、電力変換器１２と接続されたジェネレータ／モータユニット１０が走行駆動部として対応付けされている。
【００１４】
作業運転時に、内燃機関７は、分配伝動装置１８を介して、それぞれ１５０ｋＷの定格電力を有する両方のモータ／ジェネレータユニット１０を駆動する。内燃機関７は、オーバーランニングクラッチ（またはクラッチ）２２を備え、これにより、軌道工事機械１は、内燃機関７がなくても作動することができる。内燃機関７が始動されると、ジェネレータ／モータユニット１０は、ジェネレータとして機能し、このジェネレータは、３００ｋＷの充電電力で蓄電器２０に充電する、かつ／または搬入モードまたは作業モードでは、走行駆動部として用いられる両方のジェネレータ／モータユニット１０のために必要な電力を供給する。さらに、液圧ポンプ８がジェネレータ／モータユニット１０により駆動されることにより、内燃機関７の停止状態で液圧の系圧の維持が保証される。液圧的な駆動部５の作動時に、液圧的な駆動部５へのエネルギ供給は、液圧ポンプ８により行われる。
【００１５】
リチウムイオンポリマー電池は、ここではたとえば２００ｋＷ／ｈの電力量を有し、内燃機関７により運転されるジェネレータ／モータユニット１０により、すでに約２５分以内に貯蔵容量の８０％に充電することができる。この系は、補機の種々の電気的な駆動部５にも高電圧が供給可能であるように設計されている。これにより、駆動部５への供給のために内燃機関７を始動させる必要がなく、長期にわたって駆動部５への供給が可能である。負荷運転時の内燃機関７の使用は、好適には、作業運転に限定することができる。蓄電池２０がフルであるとき、蓄電池２０は、作業運転時にも、部分的にエネルギ供給を担うことができる。
【００１６】
タンピング機械のここで図示された例に対して代替的に、もちろんたとえば溶接機械などの他の公知の全ての軌道工事機械を、本発明に係るエネルギ供給系により運転してもよい。
【図１】
0006768057.tif 000002
【図２】
0006768057.tif 000003
(57)【特許請求の範囲】
【請求項１】
タイヤトレッドにセラミックスタッドを植え込む方法であって、
タイヤ加硫モールドの内側に雌ネジを備えた締結部を制作するステップ、
上部に雄ネジを有し、下部に円筒平面状の表面を持った、円筒棒状の、モールドスタッドピンを製造するステップ、
前記モールドスタッドピンの雄ネジを前記締結部の雌ネジに締結するステップ、
前記セラミックスタッドを前記モールドスタッドピンの前記下部に固定するステップ、及び、
タイヤ加硫工程を行うステップ、からなり、
前記セラミックスタッドは、該タイヤ及び加硫モールドが脱型された際に、前記タイヤトレッド内に埋め込まれ、
セラミック表面の多孔質による吸着力により、該セラミックスタッドの植え込み不足、離脱及び変形を防止するようにしたことを特徴とする方法。

【発明の詳細な説明】
【技術分野】
【０００１】
本発明はスノータイヤのオールシーズンの運行が可能になるように改良された、スタッドを打ち込んだタイヤトレッドスタッドに関し、詳細にはタイヤトレッドに植え込みされ打ち込まれ、トレッドの車体の荷重が伝達される時のスタッドの離脱と変形を防止し、タイヤをオールシーズン用に使用可能にするタイヤモールドとスタッドの材質に関する。 
【背景技術】
【０００２】
タイヤトレッドは路面と接触するゴム層で連続した多数の溝（Ｇｒｏｖｅ）とブロック（Ｂｌａｃｋ）などが形成されており、濡れた路面や凍った道路の路面接触時におけるスリップ現象と拗じれ防止の性能を強化させるために、トレッドブロック部分に金属性スタッドを打ち込んだタイヤの多様な開発が行われてきた。
【０００３】
このような努力にもかかわらず、現在開発された技術は冬季用スノータイヤにだけ適用され、用途の多様性が限られている。
【先行技術文献】
【特許文献】
【０００４】
【特許文献１】ＫＲ１０−１９９７−００６４９８４Ａ
【特許文献２】ＫＲ１０−２０１０−００６５９５７Ａ
【発明の概要】
【発明が解決しようとする課題】
【０００５】
本発明は上記のような問題点を解決するために発明されたものであり、従来の技術である完成したタイヤトレッドにスタッドを植え込む方法を使わない新しい方法であって、タイヤ加硫モールドの内側にモールドスタッドピンを用いてセラミックで作ったタイヤトレッドスタッドを固定させ、そのまま加硫工程を進行してタイヤセラミックスタッドがモールド内で形成されて打ち込まれて突出することにより、セラミック表面の多孔質を用いて強い吸着力で従来の植え込み方法で露呈した植え込み不良と金属性スタッドとゴムとの離型性によって発生する、スタッドの離脱などを防止するためのものである。
【課題を解決するための手段】
【０００６】
上記のような目的を達成するために、本発明はタイヤ加硫モールドの内側にブロックの円周方向中心部にモールドスタッドピンを雌ネジで締結部を製作して打設し、そのネジの直径に合わせてあらかじめ製作されたタイヤトレッド用スタッド（セラミック）を挟んで固定し、加硫工程を継続進行して熱と圧力によってセラミックで作ったタイヤスタッドが打ち込まれて突出するようにする。
【発明の効果】
【０００７】
既存のタイヤトレッドモールドは、パターンに応じてスタッドが挟まれる溝部のモールドを毎回変えて製作しなければならない不便さがある。
【０００８】
これに対し、上記の方法で製作されたモールド内のモールドスタッドピンを用いたセラミックスタッドタイヤは、既存の金型をそのまま使うことができる長所があり、完成後はスタッド植え込み方法よりもさらに精巧になる、モールド内のスタッド締結方法からなり、セラミック特有の表面多孔質の吸着力によって既存の金属性タイヤスタッドでよく見られる離脱と変形を減少させ、これによりセラミックスタッドタイヤは特にオールシーズンを通じたタイヤと無空圧タイヤに適していると言える。
【図面の簡単な説明】
【０００９】
図１は、タイヤ加硫モールド内にトレッドブロック部分の中央部にモールドスタッドピンでタイヤスタッドを固定させた状態を示す断面図である。
図２（イ）は、タイヤ加硫モールド内にトレッドブロック中央部に雌ネジで溝を備えておいた加硫モールドブロック部分の断面図である。
図２（ロ）は、モールドスタッドピンにより上部には雄ネジと、下部には平面円筒状の状態である。
図２（ハ）は、タイヤ専用セラミックスタッドである。
図３（イ）及び（ロ）は、完成されたタイヤにセラミックスタッドが打ち込まれ突出した状態である。
【発明を実施するための形態】
【００１０】
本発明は添付の図面を参照して説明すると次の通りである。
【００１１】
図１の（１）のように、タイヤ加硫モールドの内側に、図１の（２）のようにタイヤの軸方向から円周方向に形成されているタイヤ加硫モールドブロック部分の中央に雌ネジで備えられた溝を作り、この雌ネジ溝に、図２の（ロ）のように本体上部（加硫モールド締結部位）は雄ネジで製作され、下部（タイヤスタッド固定部位）には平面である円筒棒状のモールドスタッドピンを締結する。
【００１２】
上記工程に続いてホットプレス法、反応焼結法、常圧焼結法、ＨＩＰ法などで製作したタイヤトレッド専用セラミックスタッド図２の（ハ）であって、本体上部の中央に上記モールドスタッドピンの上部雄ネジ部分を除いた下部平面円筒状と一致する固定部溝を備えた図２の（ハ）のセラミックスタッド１を挟んで固定させる。
【００１３】
次に、グリーンタイヤを加硫モールド内に入れて十分な熱と圧力を加える。
【００１４】
次に、加硫モールドと脱着されてスタッドが打ち込まれているタイヤ図３の（イ）、（ロ）が完成する。
【符号の説明】
【００１５】
［図１］
(１)  加硫モールド
(２)  モールドスタッドピン
(３)  セラミックタイヤ専用スタッド
(４)  グリーンタイヤ
［図２］
（イ）の（１）  グリーンタイヤ
（２）  モールド内の雌ネジが備えらえた溝
（３）  加硫モールド
（ロ）モールドスタッドピン
（ロ）の（１）  上部には雄ネジ
（２）  下部には円筒状平面
（ハ）セラミックスタッド
（ハ）の（１）  モールドスタッドが挟まれる固定溝
（２）  凹凸があるスタッド本体
【図１】
0006666432.tif 000002
【図２】
0006666432.tif 000003
【図３】
0006666432.tif 000004
(57)【特許請求の範囲】
【請求項１】
かごの天井に設けられた停電時に点灯する停電灯と、前記停電灯から離れて配置され、前記停電灯の照射光を反射させて照射方向を変える反射板と、前記停電灯と前記反射板とを前記照射光の光軸に沿って囲む筒と、を備え、
反射した前記照射光は、前記天井に設けられた開口を透過してかご内に照射される、
ことを特徴とするエレベータの停電灯装置。
【請求項２】
前記反射板により反射した照射光をさらに反射させるもう一つの反射板を備えた、
ことを特徴とする請求項１に記載のエレベータの停電灯装置。
【請求項３】
前記天井に設けられ、前記照射光の透過する開口を塞ぐ透過板と、
を備えたことを特徴とする請求項２に記載のエレベータの停電灯装置。
【発明の詳細な説明】
【技術分野】
【０００１】
この発明は、エレベータかごの天井に設けられた停電灯に関する。
【背景技術】
【０００２】
エレベータが停電した場合、エレベータのかご内照明が消灯し、停電灯（非常灯）が点灯する。停電灯は、かご内の天井と壁の間に設置する場合、または、天井内に設置する場合がある。天井内に停電灯を設置する場合、停電灯の光がかご内に照射される開口を天井に設け、この開口に保護カバーを設けている(例えば特許文献１)。
【先行技術文献】
【特許文献】
【０００３】
【特許文献１】特開平７−２０６３３２号公報  (第１図)
【発明の概要】
【発明が解決しようとする課題】
【０００４】
しかしながら、保護カバーは光を透過するために樹脂性であり、悪戯により先端が細くかつ硬い物（例えば、傘など）により突かれた場合に破損し、停電灯も破損してしまうことがある。【０００５】
この発明は上記課題を解決するためになされたもので、鋭利な物で突かれても破損する恐れが少ない停電灯装置を得ることを目的とする。
【課題を解決するための手段】
【０００６】
この発明に係るエレベータの停電灯装置は、停電灯の照射光を反射させて照射方向を変える反射板を備え、反射した照射光は天井に設けた開口よりかご内に照射される。
【発明の効果】
【０００７】
この発明によれば、悪戯により鋭利なもので天井を突かれても停電灯が破損し難い。
【図面の簡単な説明】
【０００８】
【図１】この発明の実施の形態１の停電灯を備えたかごを示した図である。
【図２】図１のかごの室内を示す図である。
【図３】かご室の天井の断面を示した図である。
【図４】この発明の実施の形態２における図３相当図である。
【発明を実施するための形態】
【０００９】
以下、この発明の詳細について、図面を参照して説明する。
【００１０】
実施の形態１
図１〜図３は、この発明の実施の形態１を説明する図である。
図１において、かご２は昇降路１内に昇降自在に設けられている。かご２は、正面に出入口３を備え、壁４の上方に天井５を有している。
【００１１】
図２に示すかご２は、かご床６から立設した壁４（巾木９を含む）の上方に天井５を有している。天井５には、照明用の光がかご２内に照射される照明板７が設けられている。また、停電時に光をかご２内に照射される開口５ａが設けられている。
【００１２】
図３は、天井５のＡ−Ａ断面を示している。天井５には照明箱１０が固定され、この照明箱１０の内部に照明１１が配設されている。照明１１の照射光は、天井５に設けられた開口５ｂを覆う照明板７を透過して、かご２内に照射される。
【００１３】
照明箱１０の側面１０ａには停電灯１２が配設されている。また、停電灯１２の前方に停電灯１２の照射光を反射する反射板１３が設けられている。停電灯１２と反射板１３は、停電灯１２の照射光の光軸１２ａに沿って筒１４により包まれている。この筒１４は、側面１０ａに端部が固定されている。また、筒１４の内径は、開口５ａの径とほぼ同じである。
【００１４】
反射板１３により反射した停電灯１２の照射光は、天井５の開口５ａよりかご２内に照射される。つまり、開口５ａの上方には反射板１３が位置している。そして、反射板１３から離れた側面１０ａに停電灯１２が配設されている。この実施の形態では、開口５ａの大きさは、開口５ａから見た反射板１３の大きさとほぼ同じである。
【００１５】
また、開口５ａは停電灯用照明板１５で覆われている。なお、停電灯用照明板１５は、この実施の形態ではなくともよい。
【００１６】
上記実施の形態１により、以下の効果を得ることができる。
かご２の天井５に設けられた停電灯１２と、この停電灯１２の照射光を反射させる反射板１３を備え、照射光は天井５に設けられた開口５ａからかご２内に照射される。つまり、開口５ａの上方に反射板１３があり、この反射板１３の側方に停電灯１２があるので、開口５ａを鋭利な物で突かれても停電灯１２が破損する恐れが少ない。
【００１７】
また、停電灯１２と反射板１３は、停電灯１２の照射光の光軸に沿って筒１４により包まれているので、照射光が外に漏れることがなく、効率よくかご２内に照射することができる。
【００１８】
さらに、開口５ａを停電灯用照明板１５で覆っているので、開口５ａを鋭利な物で突かれても反射板１３を痛める恐れが少ない。
【００１９】
実施の形態２
図４は、図３相当図であり、この発明の実施の形態２を説明する図である。この説明において実施の形態１で説明したものと同じ符号は同一部品であり、説明を省略する。
実施の形態２では、反射板１３を２個設けている。
【００２０】
図４に示すように、停電灯１２は照明箱１０の上面板１０ｂに配設されている。停電灯１２の下方に反射板１３が配置され、この反射板１３の右側にもう一つの反射板である反射板１３が配置されている。これにより、停電灯１２の下方に照射された照射光は一つ目の反射板１３で右方向に反射され、さらに、もう一つの反射板１３で下方に反射され、かご２内に照射される。
【００２１】
また、これら停電灯１２と二つの反射板１３は、停電灯１２の照射光の光軸１２ａに沿って筒１５により包まれている。さらに、筒１５の内径は、開口５ｂの径とほぼ同じである。
【００２２】
上記実施の形態２により、以下の効果を得ることができる。
反射板１３により反射した照射光をさらに反射させるもう一つの反射板１３を備えているので、開口５ａを鋭利な物で突かれても先端部が停電灯１２に届かない。これにより停電灯１２が破損する恐れがさらに少ない。
【符号の説明】
【００２３】
１  昇降路、  ２  かご、  ３  出入口、  ４  壁、  ５  天井、  ６  かご床、
７  照明板、  ８  開口、  ９  枠板、  １０  照明箱、  １０ａ  側板、
１０ｂ  上面板、  １１  照明、  １２  停電灯、  １３  反射板、  １４，１５  筒。
【図１】
0006753519.tif 000002
【図２】
0006753519.tif 000003
【図３】
0006753519.tif 000004
【図４】
0006753519.tif 000005